(57)【要約】【課題】給水タンクの水を給水ポンプによって温水タンクへ供給し、この温水タンクの温水をノズルから噴射して、便座に着座した人の臀部の局所を洗浄する温水洗浄式便座装置において、ギアポンプを採用する場合、ポンプ吐出水量にバラツキが生じ易く、ノズルから噴出する洗浄水量が安定しない。特に、温水洗浄式便座の使用者が噴出水の水勢を弱く選択した場合は、ノズルから噴出する水勢がバラツキ、洗浄効果の低下を生じることが懸念される。本発明は、ギアポンプを採用した場合でも、ノズルから噴出する単位時間当たりの洗浄水量が安定した状態にて、所期の水勢による洗浄効果が得られるようにする。【解決手段】給水タンクの水をギアポンプで温水タンクへ供給する水の流量を検出するよう流量センサを設け、流量センサの検出に基づき、ギアポンプの回転数を制御してギアポンプから温水タンクへ供給される供給水量を安定化させること。【選択図】図１０
2013091999.tif 000002
【特許請求の範囲】
【請求項１】
給水タンクの水を給水ポンプによって温水タンクへ供給し、この温水タンクの温水をノズルから噴射して、便座に着座した人の臀部の局所を洗浄する温水洗浄式便座装置において、前記給水ポンプは、電動機にて回転するギアの回転によって前記給水タンクの水を前記温水タンクへ供給する構成であるギアポンプであり、前記ギアポンプから前記温水タンクへ供給される水の流量を検出する流量センサを設け、前記流量センサの検出に基づき、前記ギアポンプの回転数を制御して前記ギアポンプから前記温水タンクへ供給される供給水量を安定化させることを特徴とする温水洗浄式便座装置。
【請求項２】
前記流量センサが検出する流量が所定の下限値以下であることにより、表示部にて給水タンクの水不足状態を表示すると共に前記ギアポンプの運転を停止することを特徴とする請求項１に記載の温水洗浄式便座装置。
【請求項３】
前記ギアポンプの運転を最大出力状態にしたとき、前記流量センサが検出する流量が所定流量に達しないときは、表示部にてエラー表示することを特徴とする請求項１に記載の温水洗浄式便座装置。
【発明の詳細な説明】
【技術分野】
【０００１】
本発明は、給水タンクの水を給水ポンプによって温水タンクへ供給し、この温水タンクの温水をノズルから噴射して、便座に着座した人の臀部の局所を洗浄する温水洗浄式便座装置に関するものであり、特に、移動可能なポータブルトイレに適用して効果ある温水洗浄式便座装置に関する。
【背景技術】
【０００２】
タンクの水をポンプとその下流の三方切り替え弁を介してスプレーノズルと温水洗浄ノズルへ切り替え供給するものがあり、三方切り替え弁を介して温水洗浄ノズルへ供給される水は、途中でヒータによって加熱された温水となるものである（特許文献１参照）。
【先行技術文献】
【特許文献】
【０００３】
【特許文献１】特開２００２−０４５３０７号公報
【発明の概要】
【発明が解決しようとする課題】
【０００４】
このようにタンクの水がポンプを介してノズルへ供給されるものは公知であるが、この場合、ノズルから噴出する単位時間当たりの洗浄水量を安定した状態にするためには、ポンプに定量式電磁ポンプを採用すればよいが、この定量式電磁ポンプは音、振動、重量などの点で好ましくない。そこで、ギアポンプを採用すれば、その問題は解決するが、ギアポンプは構造上からポンプ吐出水量にバラツキが生じ易く、ノズルから噴出する洗浄水量が安定しない。
【０００５】
また、温水洗浄式便座装置は、ノズルから噴出する洗浄水の水勢を可変するために水路開口調整弁機構を備えている。この水路開口調整弁機構は、便座使用者がスイッチ操作によって水勢を強・中・弱等のように選択することにより、ノズルへ供給される温水通路の断面積が可変され、それによって水勢が可変される機構である。このため、ギアポンプの吐出水量にバラツキが生じると、そのバラツキがそのまま影響して、ノズルから噴出する洗浄水の水勢にバラツキが生じる。
【０００６】
このように、ギアポンプの場合は、ノズルから噴出する単位時間当たりの洗浄水量が安定せず、特に温水洗浄式便座の使用者が噴出水の水勢を弱く選択した場合には、ノズルから噴出する水勢に大きなバラツキが生じ、洗浄効果の低下を生じ、使用者に不快感を与えることが懸念される。
【０００７】
本発明は、このような点に鑑みて、ノズルから噴出する単位時間当たりの洗浄水量が安定した状態にて、所期の水勢による洗浄効果が得られるようにして、温水洗浄式便座の使用者に不快感を与えることが解消される技術を提供するものである。
【課題を解決するための手段】
【０００８】
第１発明は、給水タンクの水を給水ポンプによって温水タンクへ供給し、この温水タンクの温水をノズルから噴射して、便座に着座した人の臀部の局所を洗浄する温水洗浄式便座装置において、前記給水ポンプは、電動機にて回転するポンプギアの回転によって前記給水タンクの水を前記温水タンクへ供給する構成であるギアポンプであり、前記ギアポンプから前記温水タンクへ供給される水の流量を検出する流量センサを設け、前記流量センサの検出に基づき、前記ギアポンプの回転数を制御して前記ギアポンプから前記温水タンクへ供給される供給水量を安定化させることを特徴とする。
【０００９】
第２発明の温水洗浄式便座装置は、第１発明において、前記流量センサが検出する流量が所定の下限値以下であることにより、表示部にて給水タンクの水不足状態を表示すると共に前記ギアポンプの運転を停止することを特徴とする。
【００１０】
第３発明の温水洗浄式便座装置は、第１発明において、前記ギアポンプの運転を最大出力状態にしたとき、前記流量センサが検出する流量が所定流量に達しないときは、表示部にてエラー表示することを特徴とする。
【発明の効果】
【００１１】
本発明では、ノズルから噴出する単位時間当たりの洗浄水量が安定した状態となり、所定の水勢で噴出できることとなり、所期の洗浄効果が得られることにより、温水洗浄式便座の使用者に不快感を与えることが解消される。特に、ノズルから噴射する洗浄水の水勢を可変するために水勢増減スイッチの操作に基づき動作する水路開口調整弁機構を備えた場合、水路開口調整弁機構は、水勢増減スイッチによって水勢を強・中・弱等のように選択動作することとし、ギアポンプの吐出水量のバラツキによる水勢のバラツキ補正は、流量センサの検出によるギアポンプの回転数補正によることとすることにより、制御を分離することができるため、水勢増減スイッチの操作に基づく制御と、ギアポンプの吐出水量のバラツキによる水勢のバラツキ補正の制御がし易く、且つ水路開口調整弁機構の水シールも安定したものとなる。
【００１２】
また、第２発明では、流量センサの検出に基づき、給水タンクの水不足が表示部に表示されるため、給水タンクの水不足検知手段を別個に設ける必要がなくなる。
【００１３】
また、第３発明では、ギアポンプの運転を最大出力状態にしたときの流量センサの検出によって、温水洗浄式便座装置の故障状態や誤使用状態である際にエラー表示するため、故障状態や誤使用状態を検知する検知手段を別個に設ける必要がなくなる。
【図面の簡単な説明】
【００１４】
【図１】本発明に係る温水洗浄式便座装置を備えたポータブルトイレの正面斜視図である。
【図２】本発明に係る温水洗浄式便座装置を備えたポータブルトイレの背面斜視図である。
【図３】本発明に係る温水洗浄式便座装置の主要部の配置を示す斜視図である。
【図４】本発明に係る温水洗浄式便座装置の制御回路図である。
【図５】本発明に係る温水洗浄式便座装置のノズルユニットＮＵと洗浄水切り替えユニットＳＵを組み合わせた状態の側面斜視図である。
【図６】本発明に係るノズルユニットＮＵと洗浄水切り替えユニットＳＵを組み合わせた状態の後方斜視図である。
【図７】本発明に係る洗浄水切り替えユニットを温水タンクの下面に取り付けた状態を上下方向で切断しその一部を拡大で示す断面図である。
【図８】本発明に係るノズルユニットＮＵを上下方向で切断しその一部を拡大で示す断面図である。
【図９】本発明に係る洗浄水切り替えユニットＳＵの分解斜視図である。
【図１０】本発明に係る温水洗浄式便座装置の水の流れ方向の各部の配置構成図である。
【図１１】本発明に係る温水洗浄式便座装置のギアポンプのポンプギア部分を断面で示した説明図である。
【図１２】本発明に係る温水洗浄式便座装置の流量センサの構成を示しており、（Ａ）図は流量センサの側面図、（Ｂ）図は（Ａ）図のＰ−Ｐ断面図である。
【発明を実施するための形態】
【００１５】
［実施例１］
本発明に係る温水洗浄式便座装置ＳＰは、給水タンク２０の水を給水ポンプ１４によって温水タンク１３へ供給することにより、この温水タンク１３の温水をノズルユニットＮＵのノズルから噴射して、便座７に着座した人の臀部の局所を洗浄することを基本形態とし、給水ポンプ１４にギアポンプを採用する場合の前記課題を解決するものである。
【００１６】
給水ポンプ１４は、図１１に示すように、ポンプ部分を構成する歯車形態の一対のポンプギア１４Ａがポンプ室１４Ｃに収容され、この一対のポンプギア１４Ａの一方が整流子付きモータ構成である電動機（モータ）１４Ｂによって一方方向に回転することにより、他方のポンプギア１４Ａがそれに伴って回転する構成のギアポンプであり、一対のポンプギア１４Ａが水路９（給水タンク２０の水が温水タンク１３へ流れる水路９）に配置され、一対のポンプギア１４Ａが噛み合う入口側１４Ｅへ供給される水路９の水を、一対のポンプギア１４Ａが噛み合う出口側１４Ｘの水路９へ送出する構成である。
【００１７】
このように、整流子付きモータ１４Ｂによって一対のポンプギア１４Ａが回転する構成のギアポンプ１４は、例えば、特開平１１−１３６４３号公報などにより公知である。
【００１８】
以下、本発明に係る温水洗浄式便座装置ＳＰをポータブルトイレ１に備えた実施例を HYPERLINK "http://www6.ipdl.inpit.go.jp/Tokujitu/tjitemdrw.ipdl?N0000=231&N0500=4E#N/;%3e6?6=%3c69///&N0001=44&N0552=9&N0553=000003" \t "tjitemdrw" 図に基づき説明する。ポータブルトイレ１は、四脚で座部が支持される椅子状の形態であり、図１に正面斜視図、図２に背面斜視図を示す。図に示すように、中央部が開口２Ａを形成した台座２の四隅に支脚３が設けられ自立可能となるようにしている。
【００１９】
台座２の上面には排便時に着座するための便座７を備え、この便座７は後端部を回動可能に軸支持されており、電動機１９によってこの軸支持部を支点として上下方向に開閉する構成である。便座７に対応して台座２には上下面に連通する開口２Ａが形成されており、台座２の底面には、開口２Ａを通して落下する排便を収容することが可能となるように、開口２Ａの下側全面を覆う状態に排便収容トレイ４が、台座２に着脱可能に配設されている。台座２の左右前部と後部の左右支脚３に亘って肘掛け部５が取付けられている。また、後部の左右支脚３の上部に亘って、便座７に着座した人体の背中に相当する部位に背凭れ６が配設されている。
【００２０】
ポータブルトイレ１の主体部分は以上のように構成されているが、便座７に着座した人の臀部の局所を洗浄する洗浄処理などに要する機能要素は、便座７に着座した人体の背面側に相当する領域に集約して配設するようにしている。この機能要素の主体は、図１０に温水洗浄式便座装置ＳＰの水の流れ方向の各部の配置構成図として示すように、給水タンク２０、給水ポンプ１４、流量センサ１１、温水タンク１３、水路開口調整弁機構２２及びノズルユニットＮＵで構成され、水路開口調整弁機構２２及びノズルユニットＮＵは、後述のように温水洗浄ユニット６０に含まれる。給水ポンプ１４、流量センサ１１、温水タンク１３、水路開口調整弁機構２２及びノズルユニットＮＵは、台座２の後部に設けた本体ケース２Ｃ内に収容されている。給水タンク２０は、その中にキャップ２０Ａを外して補給水を注入するために、ポータブルトイレ１から取り外すことができるように、図２に示すように、ポータブルトイレ１の背面部に着脱自在に取付けられており、本体ケース２Ｃの外側で本体ケース２Ｃよりも下位値に配置されている。このため、給水タンク２０と給水ポンプ１４は、給水タンク２０の接続部２０Ｂと水路９の接続部９Ａとが接続された状態で、給水タンク２０の水は、給水ポンプ１４によって汲み出されて、後述のように水路９を通り流量センサ１１を経て温水タンク１３へ導入される。
【００２１】
排便収容トレイ４は、開口２Ａの下側全面を覆う状態に台座２の下面に密着した状態に支持されており、給水タンク２０を取り外した状態で、ポータブルトイレ１の背面側からスライドにて着脱可能である。
【００２２】
便座７は図１に拡大図で示すように、便座７の裏側にアルミニウム箔７Ａを介して絶縁被覆された便座ヒータ４１が取り付けられており、便座ヒータ４１の発熱によって便座７が加温される構成である。
【００２３】
各機能要素とノズルユニットＮＵを動作するための操作部１０は、図１に示すように本体ケース２Ｃの上部に配置されており、図１に拡大図で示すように、各種の操作スイッチとＬＥＤ表示部が配設されている。操作部１０は、その中に絶縁性の操作基板１８（図４に示す）を水平状態に収納し、この操作基板１８には、各種の操作スイッチとＬＥＤ表示部が取り付けられている。この操作スイッチとして、洗浄停止スイッチ４４、おしり（肛門）洗浄開始スイッチ４５、ビデ洗浄開始スイッチ４６、洗浄水の水勢増減スイッチ４７Ｐと４７Ｑ、温水タンク１３の温水温度調節スイッチ４８、便座ヒータ４１による便座２の温度を可変する便座温度調節スイッチ４９等が設けられ、また、ＬＥＤ表示部として、水勢増減スイッチ４７Ｐと４７Ｑに対応して水勢の強中弱の状態を３段階で表示するＬＥＤ４７Ｌ、温水温度調節スイッチ４８に対応して温水温度を低中高の３段階で表示するＬＥＤ４８Ｌ、便座温度調節スイッチ４９に対応して便座温度を低中高の３段階で表示するＬＥＤ４９Ｌが設けられている。なお、便座７を上下方向に開閉する電動機１９をＯＮ・ＯＦＦするスイッチ２３とその押圧部分を前記操作スイッチ同様に操作部１０に設けている。
【００２４】
操作部１０の上面は、前記の各スイッチ及びＬＥＤの対応部分に貫通孔を形成したカバー板で覆われており、このカバー板の上面は、前記貫通孔を塞ぐようにこれらスイッチに対応する部分が可撓性を有し、且つ前記ＬＥＤに対応する部分が透光性を有するフィルムで覆われている。このため、これらスイッチ４４、４５、４６、４７Ｐと４７Ｑ、４８、４９に対応して前記フィルムの上から押圧部分４４Ａ、４５Ａ、４６Ａ、４７Ａと４７Ｂ、４８Ａ、４９Ａを押すことによって、対応するスイッチが作動する。電動機１９をＯＮ・ＯＦＦするスイッチ２３の部分も同様である。なお、これらスイッチ４４、４５、４６、４７Ｐと４７Ｑ、４８、４９の機能を示す文字を、これらスイッチ４４、４５、４６、４７Ｐと４７Ｑ、４８、４９に対応して操作部１０の上面に設ければよい。
【００２５】
温水タンク１３内の水を加熱するための温水ヒータ４２として、通電にて発熱するシーズヒータ４２が温水タンク１３内の底部に配設されている。温水タンク１３の上壁には、温水タンク１３内の洗浄水レベル（温水レベル）を検知するフロートスイッチ５１、及び後述の温水温度検知用サーミスタ５５の取付け部５５Ａが設けられている。温水タンク１３には、温水タンク１３内の異常温度を検知してシーズヒータ４２への通電回路を遮断する温度検知部５０を備える。温水タンク１３には、温水タンク１３内の圧力が外気圧よりも低くなったとき温水タンク１３内と外気を連通する負圧弁（図示せず）を備える場合があるが、温水タンク１３内は、この負圧弁の作用によって外気と連通する以外は、外気と連通しないように気密構造である。また、温水タンク１３内の温水温度は、温水モードにおいて温水温度調節スイッチ４８によって使用者が任意の設定温度に設定できる。温水モードにおいてシーズヒータ４２への通電を制御して、温水タンク１３内の温水温度を前記設定温度に維持するため、温水タンク１３内の温水温度を検知するサーミスタ５５が設けられている。
【００２６】
温水洗浄ユニット６０は、おしり（肛門）洗浄ノズル６１と、ビデ洗浄ノズル６２と、おしり洗浄ノズル６１を進出・退避動作を行なうように収容したおしり洗浄ノズル用ノズルケース６３と、ビデ洗浄ノズル６２を進出・退避動作を行なうように収容したビデ洗浄ノズル用ノズルケース６４とを備えたノズルユニットＮＵと、温水タンク１３から供給される温水をおしり洗浄ノズル６１とビデ洗浄ノズル６２のいずれに供給するかを切り替える切り替え弁６６を備えた洗浄水切り替えユニットＳＵとによって構成されている。
【００２７】
ノズルユニットＮＵは、具体的には、おしり洗浄ノズル６１の真下にビデ洗浄ノズル６２が略平行線上に位置するように、それぞれ上下の平行配置のおしり洗浄ノズル用ノズルケース６３とビデ洗浄ノズル用ノズルケース６４に収容され、後述のように、給水ポンプ１４の運転によって温水タンク１３に掛かる水圧によって進出動作し、先端部のノズル口６１Ａ、６２Ａから温水を噴出する構成である。おしり洗浄ノズル用ノズルケース６３とビデ洗浄ノズル用ノズルケース６４は、合成樹脂で一体形成されてノズルケース体ＮＣを構成している。
【００２８】
おしり洗浄ノズル６１は、合成樹脂製で円筒形等所定形状の筒状をなし、洗浄水である温水が通る内部通路６１Ｔは、先端部のノズル口６１Ａへ向けて次第に洗浄水の圧力が高くなるように、先端に行くにしたがって次第に断面積Ｓ１が小さくなるように形成されている。ビデ洗浄ノズル６２は、おしり洗浄ノズル６１と同様に、合成樹脂製で円筒形等所定形状の筒状をなし、洗浄水である温水が通る内部通路６２Ｔは、先端部のノズル口６２Ａへ向けて次第に洗浄水の圧力が高くなるように、先端に行くにしたがって次第に断面積Ｓ２が小さくなるように形成されている。おしり洗浄ノズル６１と、ビデ洗浄ノズル６２と、おしり洗浄ノズル用ノズルケース６３と、ビデ洗浄ノズル用ノズルケース６４とを共通形態にすることによって、ノズル先端部を除いて共通の筒状ノズル形態を採用できるため、全体として部品の共通化と、組み立ての容易さ、更にコストダウン化を図ることができるものとなる。
【００２９】
ノズルユニットＮＵの後端部には、洗浄水切り替えユニットＳＵから供給される温水が、それぞれおしり洗浄ノズル用ノズルケース６３へ導入される温水導入部６３Ｂと、ビデ洗浄ノズル用ノズルケース６４へ導入される温水導入部６４Ｂを形成している。具体的には、温水導入部６３Ｂと温水導入部６４Ｂとを形成した導入部カバー８６と、この導入部カバー８６を覆うように取り付け部材８７が、ネジ８８にてノズルケース体ＮＣの後端に取り付けられている。これによって、おしり洗浄ノズル用ノズルケース６３の後端の入口開口が、温水導入部６３Ｂと連通状態となり、また、ビデ洗浄ノズル用ノズルケース６４の後端の入口開口が、温水導入部６４Ｂと連通状態となる。
【００３０】
取り付け部材８７は、ノズルユニットＮＵを本体ケース３内の固定基板（図示せず）にネジ８９によって固定するために、取り付け部８７Ａを形成したものであるが、ノズルユニットＮＵを本体ケース３内の固定基板にネジ８９によって固定する部分を導入部カバー８６に形成できれば、取り付け部材８７は不要である。
【００３１】
上下配置のおしり洗浄ノズル６１とビデ洗浄ノズル６２は、便座７の下方で台座２の開口２Ａ内において、共に前方斜め下方に向けて進出し退避する向きの配置であり、台座２の本体ケース２Ｃに便座７を取り付けた状態で、おしり洗浄ノズル６１とビデ洗浄ノズル６２は、便座７の左右間の中心線となる前後方向中心線上の配置となる。このため、便座７に着座した人の肛門やビデ等の被洗浄局部に対して真下または真下後方部からの温水噴出が得られる。
【００３２】
このため、後述のように、給水ポンプ１４が停止した状態で水圧が掛からない状態においては、おしり洗浄ノズル６１はコイルバネ６５Ａによって、おしり洗浄ノズル用ノズルケース６３内に退避した状態に保たれ、この水圧が掛かったときは、その水圧をおしり洗浄ノズル６１の後端に形成した環状フランジの水受け部６１Ｂが受けて、コイルバネ６５Ａを圧縮しつつおしり洗浄ノズル６１が進出し、水受け部６１Ｂに取り付けたパッキン６１Ｐがおしり洗浄ノズル用ノズルケース６３内の停止部６３Ａに当接して、その進出が停止し、この位置が所定の進出位置となる。
【００３３】
一方、ビデ洗浄ノズル６２については、給水ポンプ１４が停止した状態で水圧が掛からない状態においては、ビデ洗浄ノズル６２はコイルバネ６５Ｂによってビデ洗浄ノズル用ノズルケース６４内に退避した状態に保たれ、この水圧が掛かったときは、その水圧をビデ洗浄ノズル６２の後端に形成した環状フランジの水受け部６２Ｂが受けて、コイルバネ６５Ｂを圧縮しつつビデ洗浄ノズル６２が進出し、水受け部６２Ｂに取り付けたパッキン６２Ｐがビデ洗浄ノズル用ノズルケース６４内の停止部６４Ａに当接して、その進出が停止し、この位置が所定の進出位置となる。
【００３４】
洗浄水切り替えユニットＳＵは、切り替え弁６６を回動駆動する電動機６７と、切り替え弁６６を収容する弁室６９を形成した合成樹脂製の弁室部材７０と、切り替え弁６６によって切り替えられるおしり洗浄水通路７１とビデ洗浄水通路７２を形成した合成樹脂製の切り替え通路部材７３とが、ネジ７４によって結合されて一体化された構成である。これによって、弁室６９が水密状態に保たれる。
【００３５】
温水タンク１３内の温水を導出するために、温水タンク１３内に略垂直に立設した温水導出パイプ１５を設けている。温水導出パイプ１５の上端開口１５Ａ（温水タンク１３の温水流出口）は、温水タンク１３内の上壁との間に若干の間隔を存して位置している。図示のものは、温水タンク１３内の上壁が若干上方へ膨らんだ部分で、この上壁に近接する位置に上端開口１５Ａが位置している。温水タンク１３には、給水ポンプ１４の運転により、給水タンク２０の水が配管を通って温水タンク１３内の底部に供給され、温水ヒータ４２で加熱されて温水となる。温水タンク１３内の温水レベル（洗浄水レベル）は、フロートスイッチ５１によって給水ポンプ１４を運転して、温水タンク１３内の温水レベル（洗浄水レベル）を所定レベルに制御する。この所定レベルは、温水導出パイプ１５の上端開口１５Ａ（温水タンク１３の温水流出口）よりも若干低いレベルである。
【００３６】
後述のように、洗浄モードになると、給水ポンプ１４の運転によって給水タンク２０内の水を温水タンク１３内に供給しつつ、その水圧によって温水タンク１３内の温水をおしり洗浄ノズル６１またはビデ洗浄ノズル６２から噴出する。この場合、温水になっていない上水がおしり洗浄ノズル６１またはビデ洗浄ノズル６２から噴出しないようにするために、温水導出パイプ１５が立設されている。
【００３７】
切り替え弁６６は、水平軸上で正転・逆転の回動動作を行うように、電動機６７の駆動軸６８に支持されて弁室６９に収容されている。弁室部材７０は、その上壁に形成した温水導入口６９Ｂに、温水導出パイプ１５の下端の温水導出口が接続され、温水導出パイプ１５にて流下する温水が、温水導入口６９Ｂから弁室６９へ流入する。
【００３８】
電動機６７の駆動軸６８は、電動機６７の回転子から延びた軸６８Ａのみで形成してもよいが、電動機６７の汎用性から、電動機６７の駆動軸６８は、電動機６７の回転子から延びた軸６８Ａと、これに嵌め合わせて一体化した合成樹脂製の補助軸６８Ｂとで構成している。図７及び図９に示すように、電動機６７の駆動軸６８は、温水が漏れないようにシールパッキン７６によってシール状態で切り替え通路部材７３を貫通し、その先端に切り替え弁６６を取り付けている。電動機６７は、後述の制御回路３０の制御部３２のパルス出力によってステッピング動作をするものであり、ステッピングモータとも称する。
【００３９】
組み立て及び修理交換の容易さを考慮して、切り替え弁６６は、電動機６７の駆動軸６８の先端に、図７において左側から（図９においては右側から）嵌め合わせで取り付けられている。切り替え弁６６によって切り替えられる温水の流れが、切り替え弁６６に貫通形成した弁通路６６Ａがおしり洗浄水通路７１と連通した状態と、弁通路６６Ａがビデ洗浄水通路７２と連通した状態へ切り替えられるため、切り替え弁６６が切り替え通路部材７３へ押し圧保持される必要がある。このため、切り替え弁６６が回動可能であってその支持が安定化するために、切り替え弁６６を駆動軸６８側に向けてコイルバネ７９の押し圧にて保持する構成を採用している。具体的には、切り替え弁６６の駆動軸６８とは反対側は、弁室６９の側壁（図７において左壁）から駆動軸６８方向に突出する支持軸７７と、切り替え弁６６から突出する支持軸７８とに緩く嵌められたコイルバネ７９によって、切り替え弁６６を駆動軸６８側に向けて押し圧にて保持しており、電動機６７による正転・逆転の回動動作が円滑に行なわれる構成である。
【００４０】
洗浄水切り替えユニットＳＵは、上記のように、電動機６７と、弁室部材７０と、切り替え通路部材７３とが、ネジ７４によって結合されて一体化された構成である。この一体化された状態で、洗浄水切り替えユニットＳＵは、温水タンク１３の底面部にネジ８０によって固定し、この状態で、温水導出パイプ１５の下端が弁室６９の温水導入口６９Ｂに連通接続される。この連通接続部からの温水防止のために、パッキン８１が設けられている。
【００４１】
また、この一体化によって、弁室部材７０と切り替え通路部材７３との接合部から温水が漏洩しないようにするために、この接合部がゴム製のシールパッキン８２によってシールされている。また、切り替え弁６６によって温水の流れが、おしり洗浄水通路７１へ切り替えられた状態で、ビデ洗浄水通路７２へ温水が入り込まないようにし、また、温水の流れが、ビデ洗浄水通路７２へ切り替えられた状態で、おしり洗浄水通路７１へ温水が入り込まないようにするために、おしり洗浄水通路７１とビデ洗浄水通路７２の入口周縁に、ゴム製のシールパッキン８３Ａ、８３Ｂが取り付けられている。これによって、切り替え弁６６は、コイルバネ７９によって切り替え通路部材７３へ向けて押されるとき、切り替え弁６６の一方の面がシールパッキン８３Ａ、８３Ｂに圧接され、この圧接状態において、切り替え弁６６は、温水の流れをおしり洗浄水通路７１とビデ洗浄水通路７２とに切り替え回動する。
【００４２】
なお、切り替え弁６６の一方の面がシールパッキン８３Ａ、８３Ｂに圧接状態において、切り替え弁６６が、温水の流れをおしり洗浄水通路７１とビデ洗浄水通路７２とに切り替え回動する動作を安定化のために、シールパッキン８３Ａ、８３Ｂと同一平面をなすように、切り替え通路部材７３の凹部８４Ａ、８４Ｂにそれぞれゴム製の当接部材８５Ａ、８５Ｂを嵌め込んでいる。
【００４３】
温水洗浄ユニット６０は、ノズルユニットＮＵと洗浄水切り替えユニットＳＵの温水通路の接続のために、おしり洗浄水通路７１は、その出口部７１Ａが可撓性パイプ７５Ａによって温水導入部６３Ｂへ連通接続されている。また、ビデ洗浄水通路７２は、その出口部７２Ａが可撓性パイプ７５Ｂによって温水導入部６４Ｂへ連通接続されている。洗浄水切り替えユニットＳＵは、上記のように、ネジ８０によって温水タンク１３の底面部に固定され、温水タンク１３は本体ケース３内の固定基板にネジ等によって固定される。また、ノズルユニットＮＵは、本体ケース３内の固定基板にネジ８９によって固定され、おしり洗浄ノズル６１とビデ洗浄ノズル６２が、便座４の左右間の中心線となる前後方向中心線上の所定位置に保たれる。このようにして、温水洗浄ユニット６０が所定位置にセットされる。
【００４４】
HYPERLINK "http://www6.ipdl.inpit.go.jp/Tokujitu/tjitemdrw.ipdl?N0000=231&N0500=4E#N/;%3e6?6=%3c69///&N0001=44&N0552=9&N0553=000005" \t "tjitemdrw" 図４は、制御手段となる制御回路３０の構成を示すもので、商用電源３１にマイクロコンピュータを中心に構成した制御部３２を接続し、かつこの制御部３２の入力回路には上記操作基板１８を接続し、更に制御部３２の入力回路には、便座７への着座を検出する着座スイッチ３３と、便座７の温度を検出する便座用温度センサ３５と、フロートスイッチ５１と、温水タンク１３内の温水温度を検知するサーミスタ５５と、後述の流量センサ１１が接続されている。着座スイッチ３３は、便座７に人が着座したときの重量で便座７が下降することにより作動するスイッチや、便座７に着座した人を赤外線で検出する赤外線スイッチなどがある。
【００４５】
制御部３２は、タイマ、メモリ等を含み、所定のプログラムに従って、所定の動作を行なうマイクロコンピュータ制御方式である。商用電源３１には、制御部３２の出力にて各々動作するスイッチング素子２１、３６、３７、３８、３９、４０を介して、それぞれ便座４の開閉電動機１９、便座ヒータ４１、温水タンク１３内の水を加熱する温水ヒータ４２、切り替え弁６６を制御部３２のステッピングパルスによって駆動する電動機６７（洗浄モータ６７ともいう）、脱臭ユニット２５Ａの脱臭ファン２５及び給水ポンプ１４を接続している。脱臭ユニット２５Ａは台座２の後部に設けた本体ケース２Ｃ内に収容され、台座２の開口２Ａ内の臭気が脱臭要素（図示せず）を通過する空気の流れを形成するためのものである。
【００４６】
待機状態において、通常、接点が閉じている温度検知部５０は、温水タンク１３内の異常温度を検知したとき開いて、温水ヒータ４２の通電を遮断する。また、温水タンク１３内の水は、サーミスタ５５の温度感知によって、制御部３２が動作し、スイッチング素子３７が温水ヒータ４２の通電のＯＮ・ＯＦＦ動作を行い、温水温度が所定温度範囲に維持される。温水タンク１３内の温水レベル（洗浄水レベル）は、フロートスイッチ５１の検出によってスイッチング素子４０が給水ポンプ１４の運転・停止を制御して、温水タンク１３内の温水レベル（洗浄水レベル）を所定レベルに制御する。この所定レベルは、温水導出パイプ１５の上端開口１５Ａ（温水タンク１３の温水流出口）よりも若干低いレベルである。
【００４７】
また、待機状態において、切り替え弁６６は、切り替え弁６６の弁通路６６Ａ以外の面が、おしり洗浄水通路７１とビデ洗浄水通路７２の入口周縁のシールパッキン８３Ａ、８３Ｂに当接しており、これによって、切り替え弁６６は、温水タンク１３内がおしり洗浄水通路７１とビデ洗浄水通路７２のいずれとも連通しないように、おしり洗浄水通路７１とビデ洗浄水通路７２の入口を塞ぎ、弁通路６６Ａがおしり洗浄水通路７１とビデ洗浄水通路７２のいずれとも連通せず遮断状態である。
【００４８】
このような待機状態において、制御部３２は、着座スイッチ３３により便座７への人体の着座を検出すると、スイッチング素子３９を通電して脱臭ファン２５を回転する。この着座状態において、おしり（肛門）洗浄開始スイッチ４５が押されておしり（肛門）洗浄指令が発せられ、またはビデ洗浄開始スイッチ４６が押されてビデ洗浄指令が発せられると、制御部３２は、スイッチング素子３８を適宜作動して、洗浄モータ６７をステッピング動作させて切り替え弁６６を回動駆動すると共に、スイッチング素子４０を適宜作動して、給水ポンプ１４を運転する。これにより、温水タンク１３内底部に給水タンク２０の水が供給されつつ、給水ポンプ１４の出力による水圧が温水タンク１３内に掛かり、温水タンク１３内の温水が温水導出パイプ１５の上端開口１５Ａ（温水タンク１３からの温水流出口）から温水導出パイプ１５へ流出し、弁室６９へ供給される。
【００４９】
この場合、おしり（肛門）洗浄開始スイッチ４５が押されている場合は、制御部３２のステッピングパルスによって洗浄モータ６７がステッピング動作をし、それによって切り替え弁６６がシールパッキン８３Ａ、８３Ｂと当接部材８５Ａ、８５Ｂに当接した状態で回動し、水勢増減スイッチ４７Ｐと４７Ｑによって設定された水勢となるように、切り替え弁６６の弁通路６６Ａがおしり洗浄水通路７１と所定の開口割合で連通した状態で洗浄モータ６７が停止する。
【００５０】
このため、洗浄水の水勢増減スイッチ４７Ｐと４７Ｑによって設定された強中弱のいずれかの水勢状態となるように、洗浄モータ６７のステッピング動作にて切り替え弁６６の回動位置が制御される。即ち、強水勢状態では、切り替え弁６６の弁通路６６Ａがおしり洗浄水通路７１と連通する開口割合が設定した最大状態となり、中水勢状態では、切り替え弁６６の弁通路６６Ａがおしり洗浄水通路７１と連通する開口割合が設定した中間状態となり、弱水勢状態では、切り替え弁６６の弁通路６６Ａがおしり洗浄水通路７１と連通する開口割合が設定した最小状態となる。
【００５１】
このように、水勢切り替えは、切り替え弁６６の弁通路６６Ａがおしり洗浄水通路７１と連通する開口割合を変える構成であるため、この構成が本発明の水路開口調整弁機構２２を構成する。
【００５２】
このように、水勢増減スイッチ４７Ｐと４７Ｑによって設定された水勢状態となるように、切り替え弁６６の弁通路６６Ａがおしり洗浄水通路７１と連通し、温水タンク１３から供給される温水は、弁通路６６Ａとおしり洗浄水通路７１を通り、その出口部７１Ａから可撓性パイプ７５Ａを通って温水導入部６３Ｂへ流入する。温水導入部６３Ｂへ流入した温水の水圧は、コイルバネ６５Ａによって退避位置（図７に示す位置）にあるおしり洗浄ノズル６１の水受け部６１Ｂに作用して、コイルバネ６５Ａを圧縮しつつおしり洗浄ノズル６１を進出させ、パッキン６１Ｐが停止部６３Ａに当接して、その進出が停止し、この進出位置で、洗浄水である温水は、水圧受け部６１Ｂの中心孔を通過しておしり洗浄ノズル６１の内部通路６１Ｔに流入し、先端のノズル口６１Ａから噴出する温水によって、おしり（肛門）が洗浄される。
【００５３】
そして、洗浄停止スイッチ４４が押されてＯＮすることにより、制御部３２が動作し、スイッチング素子３８、４０が動作して、洗浄モータ６７の作動にて切り替え弁６６を待機位置へ戻すと共に、給水ポンプ１４の運転を停止する。給水ポンプ１４の運転の停止により、給水ポンプ１４による水圧が温水タンク１３内に掛からなくなり、ノズル口６１Ａからの温水の噴出が停止すると共に、コイルバネ６５Ａによっておしり洗浄ノズル６１がおしり洗浄ノズル用ノズルケース６３内に退避した状態（図８に示す位置）に復帰する。
【００５４】
また、上記において、おしり（肛門）洗浄開始スイッチ４５ではなく、ビデ洗浄開始スイッチ４６が押されている場合は、洗浄モータ６７の作動にて切り替え弁６６がシールパッキン８３Ａ、８３Ｂと当接部材８５Ａ、８５Ｂに当接した状態で回動し、切り替え弁６６の弁通路６６Ａがビデ洗浄水通路７２と所定の開口割合で連通した状態で洗浄モータ６７が停止する。これによって、給水ポンプ１４の出力による水圧によって弁室６９へ供給された温水タンク２０内の温水は、弁通路６６Ａとビデ洗浄水通路７２を通り、その出口部７２Ａから可撓性パイプ７５Ｂを通って温水導入部６４Ｂへ流入する。温水導入部６４Ｂへ流入した温水の水圧は、コイルバネ６５Ｂによって退避位置にあるビデ洗浄ノズル６２の水受け部６２Ｂに作用して、コイルバネ６５Ｂを圧縮しつつビデ洗浄ノズル６２を進出させ、パッキン６２Ｐが停止部６４Ａに当接して、その進出が停止し（図７に示す位置）、この進出位置で、洗浄水である温水は、水圧受け部６２Ｂの中心孔を通過してビデ洗浄ノズル６２の内部通路６２Ｔに流入し、先端のノズル口６２Ａから噴出する温水によって、ビデが洗浄される。
【００５５】
このようにビデ洗浄が行なわれる場合も上記おしり洗浄の場合と同様に、洗浄水の水勢増減スイッチ４７Ｐと４７Ｑによって設定された強中弱のいずれかの水勢状態となるように、洗浄モータ６７のステッピング動作にて切り替え弁６６の回動位置が制御される。即ち、強水勢状態では、切り替え弁６６の弁通路６６Ａがビデ洗浄水通路７２と連通する開口割合が設定した最大状態となり、中水勢状態では、切り替え弁６６の弁通路６６Ａがビデ洗浄水通路７２と連通する開口割合が設定した中間状態となり、弱水勢状態では、切り替え弁６６の弁通路６６Ａがビデ洗浄水通路７２と連通する開口割合が設定した最小状態となる。このように水勢切り替えは、切り替え弁６６の弁通路６６Ａがビデ洗浄水通路７２と連通する開口割合を変える構成であるため、この構成が本発明の水路開口調整弁機構２２を構成する。
【００５６】
そして、洗浄停止スイッチ４４が押されてＯＮすることにより、制御部３２が動作し、スイッチング素子３８、４０が動作して、洗浄モータ６７の作動にて切り替え弁６６を待機位置へ戻すと共に、給水ポンプ１４の運転を停止する。給水ポンプ１４の運転の停止により、給水ポンプ１４による水圧が温水タンク１３内に掛からなくなり、ノズル口６２Ａからの温水の噴出が停止すると共に、コイルバネ６５Ｂによってビデ洗浄ノズル６２がビデ洗浄ノズル用ノズルケース６４内に退避した状態（上記おしり洗浄ノズル６１の退避した状態と同様の状態）に復帰する。
【００５７】
上記から明らかなように、おしり洗浄ノズル６１とビデ洗浄ノズル６２は、それぞれ進出・退避動作を行なうように別個のノズルケース６３、６４内に収容されて上下配置され、温水タンク１３に掛かる水道水圧によって進出動作し、それぞれ先端部のノズル口６１Ａ、６２Ａから温水を噴出する構成であるため、肛門やビデ等の被洗浄局部に対して、真下または真下後方部からの温水噴出が得られるようになり、従来のように左右配置での温水飛散問題や、おしり洗浄時におしりを洗浄した温水が、ビデ洗浄ノズル６２の先端のノズル口６２Ａに掛かる問題も解決され、ビデ洗浄ノズルを衛生的に保てる好ましい噴出形態が達成できる。
【００５８】
また、おしり洗浄ノズル６１とビデ洗浄ノズル６２は、モータで進出・退避動作を行なうのではなく水圧で進出・退避動作を行なう構成であるため、両ノズルの動作とそれを達成する構造を共通にできるようになり、構造的・動作的に簡単なものとなる。
【００５９】
更に、本発明では、切り替え弁６６を収容した弁室６９の温水導入口６９Ｂの真上に、温水タンク１３内に立設した温水導出パイプ１５の下端の温水出口が連通するように、洗浄水切り替えユニットＳＵが温水タンクの下面に取り付けられた構成であるため、温水タンク１３内の温水は、温水導出パイプ１５から弁室６９へ直接流入する構成となり、温水タンク１３内の温水を洗浄水切り替えユニットＳＵに導くパイプが不要となり、温水タンク１３に洗浄水切り替えユニットＳＵを取り付け、一体化した構成が達成できる。
【００６０】
上記実施例では、ノズルユニットＮＵのノズルは、おしり洗浄ノズル４１及びビデ洗浄ノズル４２を備えているが、おしり洗浄ノズル４１のみでも差し支えない。また、おしり洗浄ノズル６１とビデ洗浄ノズル６２は、上下配置ではなく左右配置タイプでも差し支えない。
【００６１】
上記のように、給水タンク２０の水を給水ポンプ１４によって温水タンク１３へ供給し、この温水タンク１３の温水をノズル６１または６２から噴射して、便座に着座した人の臀部の局所を洗浄する温水洗浄式便座装置ＳＰにおいて、給水ポンプ１４は、電動機１４Ｂにて回転するポンプギア１４Ａの回転によって給水タンクの水を、水路９を通して温水タンク１３へ供給する構成のギアポンプである。ギアポンプの構成は種々あるが、
【００６２】
図１１に拡大で示すように、ギアポンプ２０は、ポンプ室１４Ｃの壁面とポンプギア１４Ａとの周辺の隙間ｇが存在する等、構造によってポンプギア１４Ａの回転が一定であってもポンプ吐出水量にバラツキが生じ易く、ノズル６１または６２から噴出する洗浄水量が安定しない。上記のように、洗浄水の水勢増減スイッチ４７Ｐと４７Ｑによって設定された強中弱のいずれかの水勢状態となるように、洗浄モータ６７のステッピング動作にて切り替え弁６６の回動位置が制御されるが、この場合、強水勢、中水勢、弱水勢のいずれにおいても、制御の簡素化のために電動機１４Ｂによるポンプギア１４Ａの回転が所定回転となるようにしており、強水勢、中水勢、弱水勢の切り替えは、上記のように水路開口調整弁機構２２によって行なわれる。強水勢設定状態ではそれに相応する水勢で安定噴出され、中水勢設定状態ではそれに相応する水勢で安定噴出され、弱水勢設定状態ではそれに相応する水勢で安定噴出されることが望ましいが、上記のようにギアポンプ１４は構造上の問題によって、そのときの水勢に変動が生じ、所定の水勢での噴出が得られない場合がある。
【００６３】
本発明では、ギアポンプ１４から温水タンク１３へ供給される水路９を流れる水の流量を検出する流量センサ１１を設け、流量センサ１１の検出に基づき、制御部３２によってスイッチング素子４０を通電してギアポンプ１４の回転数を制御し、ギアポンプ１４から温水タンク１３へ供給される供給水量を安定化させるようにしている。
【００６４】
流量センサ１１は、図１２に示すように、ギアポンプ１４から温水タンク１３へ供給される水路９を流れる水によって回転する回転体１１Ａが透明ケース１１Ｂ内に回転可能に支持され、透明ケース１１Ｂの外側には、この回転体１１Ａを挟んで一方側に発光素子１１Ｐを配置し、他方側に受光素子１１Ｑを配置している。透明ケース１１Ｂには、ギアポンプ１４から水路９を通して流れる水の入り口１１Ｅと、ギアポンプ１４から水路９を通して温水タンク１３へ流れる水の出口１１Ｘが形成されている。図１２に示す回転体１１Ａは、入り口１１Ｅから流入する水が衝突するように、複数の歯１１Ｇを持つ歯車形態であり、歯１１Ｇ相互間が光透過部１１Ｈを形成する。
【００６５】
これによって、回転体１１Ａの回転によって、発光素子１１Ｐから受光素子１１Ｑへ向かう光が歯１１Ｇによって断続的に遮られることにより生じる受光素子１１Ｑの出力が、制御部３２へ入力される構成である。
【００６６】
回転体１１Ａの適所に形成された光透過部１１Ｈは、図１２に示すように、回転体１１Ａを歯車形態としてその歯１１Ｇ相互間が光透過部１１Ｈとなるものや、円形板の回転体１１Ａに、発光素子１１Ｐから受光素子１１Ｑへ向かう光が透過する透光孔を一つまたは複数形成するものなど、種々の形態で構成できる。
【００６７】
ギアポンプ１４の運転によって、ギアポンプ１４から温水タンク１３へ供給される水路９を流れる水の流量を流量センサ１１で検出する。この時、ギアポンプ１４から温水タンク１３へ供給される水路９を流れる水によって回転体１１Ａが回転することにより、発光素子１１Ｐから受光素子１１Ｑへ向かう光が断続的に遮られる。制御部３２の動作によって、単位時間当たりのこの遮られる回数を制御部３２にてカウントし、このカウント値が制御部３２に備えたメモリに設定した基準値と比較され、このカウント値が基準値よりも少ない場合は、ギアポンプ１４から温水タンク１３へ掛かる圧力が低く、ノズル６１または６２から噴出する水勢が弱く洗浄水量が少なくなる。このため、このカウント値が基準値よりも少ない場合は、その少ない度合いに応じて、電動機１４Ｂによるポンプギア１４Ａの回転数をアップさせることにより、ギアポンプ１４から温水タンク１３へ掛かる圧力がアップされ、ノズル６１または６２から噴出する水勢がアップし、ノズル６１または６２から噴射する水勢が安定するように、洗浄水量が設定した安定状態となる。
【００６８】
また、単位時間当たりの遮られる回数のカウント値が、制御部３２に備えたメモリに設定した基準値と比較され、このカウント値が基準値よりも多い場合は、ギアポンプ１４から温水タンク１３へ掛かる圧力が高く、ノズル６１または６２から噴出する水勢が強くなり洗浄水量が多くなり過ぎる。このため、このカウント値が基準値よりも多い場合は、その多い度合いに応じて、電動機１４Ｂによるポンプギア１４Ａの回転数をダウンさせることにより、ギアポンプ１４から温水タンク１３へ掛かる圧力が低下され、ノズル６１または６２から噴出する水勢が低下して、ノズル６１または６２から噴射する水勢が安定するように、洗浄水量が設定した安定状態となる。
【００６９】
上記のように温水洗浄式便座装置ＳＰは、ノズル６１または６２から噴射する洗浄水の水勢を可変するために水路開口調整弁機構２２を備えた場合にも、ノズル６１または６２から噴射する水勢が安定するように、洗浄水量が設定した安定状態となる。即ち、水路開口調整弁機構２２は、便座使用者が洗浄水の水勢増減スイッチ４７Ｐと４７Ｑによって水勢を強・中・弱等のように選択することにより、ノズル６１または６２へ供給される洗浄水通路の断面積が可変され、それによって水勢が可変される機構である。このため、ギアポンプの吐出水量にバラツキが生じると、そのバラツキがそのまま影響して、ノズル６１または６２から噴出する洗浄水の水勢にバラツキが生じるが、本発明では、ギアポンプ１４から温水タンク１３へ供給される水路９を流れる水の流量を流量センサ１１で検出して、ギアポンプ１４の回転数を可変することにより、ノズル６１または６２から噴射する水勢が安定するように、洗浄水量が設定した安定状態となる。
【００７０】
また、ノズル６１または６２から噴出する洗浄水の水勢にバラツキが生じた場合、それを検出して水路開口調整弁機構２２の電動機６７によって、ノズル６１または６２へ供給される洗浄水通路の断面積を可変するようにする方式も考えられる、その場合は、水勢の可変信号と水勢バラツキの信号によって電動機６７が作動するため、制御が複雑化すると共に、電動機６７によってノズル６１または６２へ供給される洗浄水通路の断面積を可変することにより、水シール部分のシール不良が生じ易くなる等、問題がある。このため、本発明のように、水路開口調整弁機構２２は、水勢増減スイッチ４７Ｐと４７Ｑによって水勢を強・中・弱等のように選択動作することとし、ギアポンプの吐出水量のバラツキによる水勢のバラツキ補正は、流量センサ１１の検出によるギアポンプの回転数補正によることとする、というように制御を分離することにより、このような問題解決を図ることができる。
【００７１】
また、本発明では、ギアポンプ１４の運転を所定の一定出力状態にしたとき、流量センサ１１が検出する流量が、制御部３２に備えたメモリに設定した所定の下限値以下である場合、即ち、単位時間当たりの遮られる回数のカウント値が、制御部３２に備えたメモリに設定した下限値と比較され、このカウント値が下限値以下である場合は、表示部９０にて水不足状態を表示すると共に、ギアポンプ１４の運転を停止する。この表示部９０は、ＬＥＤ４７Ｌなどと同様に操作部１０に設け、発光にて水不足状態を表示する。なお、表示部９０に対応して「水不足」の文字を操作部１０の表面に設ければよい。
【００７２】
このため、表示部９０に水不足状態が表示されると、給水タンク２０内の水が不足した状態であるため、給水タンク２０内へ水を補給する作業に掛かればよい。
【００７３】
また、本発明では、ギアポンプ１４の運転を最大出力状態にしたとき、流量センサ１１が検出する流量が、制御部３２に備えたメモリに設定した所定の上限値に達しない場合、即ち、単位時間当たりの遮られる回数のカウント値が、制御部３２に備えたメモリに設定した上限値と比較され、このカウント値が上限値未満である場合は、エラーとして表示部９１にてエラー表示する。この表示部９１は、ＬＥＤ４７Ｌなどと同様に操作部１０に設け、発光にてエラー表示する。なお、表示部９１に対応して「エラー」の文字を操作部１０の表面に設ければよい。
【００７４】
このエラーの種類としては、温水洗浄式便座装置ＳＰの故障があり、給水タンク２０からギアポンプ１４までの水路の異物詰まり、給水タンク２０から温水洗浄ユニット６０までの水路パイプの外れ、この水路パイプからの水漏れ、またはギアポンプ１４の電動機１４Ｂが整流子付きモータの場合に、整流子に接触するブラシの消耗などモータの寿命やポンプギア１４Ａの磨耗等が原因と考えられる。また、エラーのもう一つの種類としては、誤使用によるものがあり、それは、給水タンク２０への水路接続パイプ外れ、または給水タンク２０内の水不足状態が原因と考えられる。
【００７５】
このため、このエラー表示が出れば、必要な点検を行ない修復させる作業に取り掛かればよい。
【００７６】
上記のように、ギアポンプ１４の運転を所定の一定出力状態にすること、及び／またはギアポンプ１４の運転を最大出力状態にすることは、メンテナンスのために操作する特別なスイッチによって行なう方式でもよいが、制御部３２の制御プログラムにその条件を組み込むことにより、マイクロコンピュータ方式によって、例えば、毎日一回または複数回、定時にその動作を行なうことにより、自動的にエラーチェックを行なうことができる。
【産業上の利用可能性】
【００７７】
本発明に係る温水洗浄式便座装置は、温水タンク内に供給される給水ポンプの水圧によって、洗浄ノズルから温水タンク内の温水を噴出する温水洗浄式便座装置において、洗浄ノズルが、モータによって進出・退避動作を行なうモータ式の場合、またはおしり洗浄ノズル６１とビデ洗浄ノズル６２が上下配置ではなく左右配置タイプも含めて、本発明は、上記実施例に示した構成に限定されず、種々の形態のものに適用できるものであり、本発明の技術範囲において種々の形態を包含するものである。
【符号の説明】
【００７８】
１・・・・・ポータブルトイレ
２・・・・・台座
２Ａ・・・・開口
２Ｃ・・・・本体ケース
３・・・・・支脚
４・・・・・排便収容トレイ
７・・・・・便座
９・・・・・水路
１０・・・・操作部
１３・・・・温水タンク
１４・・・・給水ポンプ
１４Ａ・・・ポンプギア
１４Ｂ・・・電動機
１５・・・・温水導出パイプ
１７・・・・基板
１８・・・・操作基板
１９・・・・電動機
２０・・・・給水タンク
２１・・・・スイッチング素子
２２・・・・水路開口調整弁機構
２３・・・・電動機１９のＯＮ・ＯＦＦスイッチ
３０・・・・制御回路
３１・・・・商用電源
３２・・・・制御部
３３・・・・着座スイッチ
３５・・・・便座用温度センサ
３６・・・・スイッチング素子
３７・・・・スイッチング素子
３８・・・・スイッチング素子
３９・・・・スイッチング素子
４０・・・・スイッチング素子
４１・・・・便座ヒータ
４２・・・・温水ヒータ
４４・・・・洗浄停止スイッチ
４５・・・・おしり（肛門）洗浄開始スイッチ
４６・・・・ビデ洗浄開始スイッチ
４７Ｌ・・・ＬＥＤ
４７Ｐ、４７Ｑ・・・・洗浄水の水勢増減スイッチ
４８・・・・温水温度調節スイッチ
４８Ｌ・・・ＬＥＤ
４９・・・・便座温度調節スイッチ
４９Ｌ・・・ＬＥＤ
５０・・・・温度検知部
５１・・・・フロートスイッチ
５２・・・・負圧弁
５５・・・・温水温度検知用サーミスタ
６０・・・・温水洗浄ユニット
６１・・・・おしり（肛門）洗浄ノズル
６１Ａ・・・おしり（肛門）洗浄ノズルのノズル口
６１Ｂ・・・おしり（肛門）洗浄ノズルの水受け部
６１Ｐ・・・パッキン
６２・・・・ビデ洗浄ノズル
６２Ａ・・・ビデ洗浄ノズルのノズル口
６２Ｂ・・・ビデ洗浄ノズルの水受け部
６２Ｐ・・・パッキン
６３・・・・おしり（肛門）洗浄ノズル用ケース
６３Ａ・・・停止部
６３Ｂ・・・温水導入部
６４・・・・ビデ洗浄ノズル用ケース
６４Ａ・・・停止部
６４Ｂ・・・温水導入部
６５Ａ・・・コイルバネ
６５Ｂ・・・コイルバネ
６６・・・・切り替え弁
６７・・・・電動機
６８・・・・電動機６７の駆動軸
６９・・・・弁室
６９Ｂ・・・温水導入口
７０・・・・弁室部材
７１・・・・おしり洗浄水通路
７１Ａ・・・おしり洗浄水通路の出口部
７２・・・・ビデ洗浄水通路
７２Ａ・・・ビデ洗浄水通路の出口部
７３・・・・切り替え通路部材
７４・・・・ネジ
７５Ａ・・・可撓性パイプ
７５Ｂ・・・可撓性パイプ
７７・・・・支持軸
７８・・・・支持軸
７９・・・・コイルバネ
８２・・・・シールパッキン
８３Ａ・・・シールパッキン
８３Ｂ・・・シールパッキン
８５Ａ・・・当接部材
８５Ｂ・・・当接部材
８７・・・・取り付け部材
ＮＣ・・・・ノズルケース体
ＮＵ・・・・ノズルユニット
ＳＰ・・・・温水洗浄式便座装置
ＳＵ・・・・洗浄水切り替えユニット
【図１】
2013091999.tif 000003
【図２】
2013091999.tif 000004
【図３】
2013091999.tif 000005
【図４】
2013091999.tif 000006
【図５】
2013091999.tif 000007
【図６】
2013091999.tif 000008
【図７】
2013091999.tif 000009
【図８】
2013091999.tif 000010
【図９】
2013091999.tif 000011
【図１０】
2013091999.tif 000012
【図１１】
2013091999.tif 000013
【図１２】
2013091999.tif 000014